Podtech/llm-jp-corpus-v4-ja_patent huggingface dataset:
(57)【要約】【課題】  スーツケース・キャリーバックの引き伸ばしハンドルに引っ掛けた傘がずり落ちてこないように固定できるようにしたスーツケース・キャリーバックに傘を固定するバンドを提供する。【解決手段】  帯状の布（１）を引き伸ばしハンドルの持ち手に取り付け、十文字に貼り合わさっている帯状の布（２）で傘の柄を巻いて固定し、帯状の布（３）を引き伸ばしハンドル根元に巻いて傘全体をブラブラしないように固定させ落下防止用に帯（４）を内側に設けることを特徴とする。【選択図】図１
2016022358.tif 000002
【特許請求の範囲】
【請求項１】
帯状の布（１）を引き伸ばしハンドルの持ち手に取り付け、十文字に貼り合わさっている帯状の布（２）で傘の柄を巻いて固定し、帯状の布（３）を引き伸ばしハンドル根元に巻いて傘全体をブラブラしないように固定させ落下防止用に帯（４）を内側に設けたスーツケース・キャリーバックに傘を固定するバンド。
【発明の詳細な説明】
【技術分野】
【０００１】  本発明は、スーツケース・キャリーバックに帯状の布を取り付けることで、引き伸ばしハンドルに引っ掛けた傘がずり落ちないように傘の柄を固定し、さらに、傘全体がブラブラしないように固定できる工夫をしたスーツケース・キャリーバックに傘を固定するバンドに関するものである。
【背景技術】
【０００２】  従来、傘はスーツケースやキャリーバックの引き伸ばしハンドルの持ち手部分に引っ掛けて手でおさえて持ち運んでいた。
スーツケースをななめに倒して動かすときは傘が地面に接触してしまうので、もう片方の手に傘を持ち替えてスーツケースを動かすため両手がふさがってしまっていた。
【先行技術文献】
【特許文献】
【０００３】
【特許文献１】  特開２０１２−０００４４１号公報
【特許文献２】  特開２００７−０５０２２４号公報
【発明の概要】
【発明が解決しようとする課題】
【０００４】  そのために、次のような問題点があった。
傘を引き伸ばしハンドルの持ち手部分に引っ掛けておくだけでは、傘がずり落ちたり途中で置き忘れたり失くすことがあった。
荷物が多いと両手がふさがって、さらに傘を持つことになるので、混雑した駅、街中では移動がスムーズにできなかった。
本発明は、これらの問題点を解決するためになされたものである。
【課題を解決するための手段】
【０００５】  帯状の布（１）を引き伸ばしハンドルの持ち手に取り付け、十文字に貼り合わさっている帯状の布（２）で傘の柄を巻いて固定し、帯状の布（３）を引き伸ばしハンドル根元に巻いて傘全体をブラブラしないように固定させ落下防止用に帯（４）を内側に設けたスーツケース・キャリーバックに傘を固定するバンド。
【発明の効果】
【０００６】  スーツケースの引き伸ばしハンドルの持ち手と傘の柄を同時に手でおさえないとずり落ちてしまう傘も、本発明品を使えば傘がスーツケースからずり落ちることがなく、簡単にピッタリ固定されてスムーズにスーツケースが動かせる。
雨傘、日傘の他にもポーチやハンドバック、買い物袋なども固定できる。
傘を置き忘れたり、失くしたりすることがなくなり経済的である。
帯状の布をいろいろなお洒落な色、柄にすると雨の日も気分よく傘をもってお出掛けできる。
使わない時は簡単に取り外しができ、小さくたたんで仕舞える。
【図面の簡単な説明】
【０００７】
【図１】（ａ）は、本発明の傘の握りを固定するバンドの斜視図、（ｂ）は、本発明の傘本体を固定するバンドの斜視図である。
【図２】本発明の使用状態を示した斜視図である。
【発明を実施するための形態】
【０００８】  発明を実施するための形態について説明する。
引き伸ばしハンドルの持ち手に巻き付ける帯状の布（１）と傘の柄を巻き付ける帯状の布（２）が十文字に貼り合わさっている。
それぞれの先端にはマジックテープ（登録商標）（５）を設け着脱を簡単にする。
引き伸ばしハンドルの根元部分に巻き付ける帯状の布（３）の内側には落下防止用の帯（４）を設け、これらの先端にもマジックテープ（５）を設け着脱を簡単にする。
本発明は以上のような構成である。
本発明を使用するときは、帯状の布を十文字に貼りあわせ、一方の布はスーツケースの引き伸ばしハンドルの持ち手に巻き付け、もう片方の布で傘の柄を巻いて固定する。
別のもう一本の帯状の布は引き伸ばし、ハンドルの根元部分にぐるりと回して、傘全体がブラブラしないように固定する。
【符号の説明】
【０００９】    １  持ち手巻き付け布
２  傘の柄巻き付け布
３  根元巻き付け布
４  落下防止用帯
５  マジックテープ（登録商標）
【図１】
2016022358.tif 000003
【図２】
2016022358.tif 000004
(57)【要約】      （修正有）【課題】網戸の塵埃を掃除機で吸い込むためには網戸を挟んで掃除機の吸気ヘッドとは反対側に受け板となるものを宛がう必要があり、一人での作業は困難であった。これを解決して、網戸の掃除を一人で行える網戸掃除用補助具と網戸掃除用吸気ヘッドを提供する。【解決手段】網戸掃除用吸気ヘッドは、吸気口を囲むように、吸気口の上下に直径１〜２ｃｍの鉄のボール５をそれぞれ３個埋め込む。受け板になる網戸掃除用補助具２には、鉄のボール５の位置に合わせ６個の磁石のボール３を埋め込むと共にブラシ４を植え込む。網戸の掃除のときは、鉄のボール５と磁石のボール３とを磁力で付着させて使用すれば、一人で網戸の掃除が可能である。【選択図】図５
2016022357.tif 000002
【特許請求の範囲】
【請求項１】
掃除機の吸気ヘッドに吸気口を囲むように上下３カ所に直径１〜２ｃｍの鉄のボールを埋め込み、受け板になる補助具には、吸気ヘッドの鉄のボールの位置に合わせて６個の磁石のボールを埋め込み、網戸の塵埃を擦りながら吸引させるように、補助具の中心部にブラシを植え込んだ網戸掃除用補助具と掃除機の専用吸気ヘッド。
【発明の詳細な説明】
【技術分野】
【０００１】  本発明は網戸の掃除を簡単かつ完璧に行うための補助具と専用吸気ヘッドを提供する。
【背景技術】
【０００２】  文献１が出願されるまでは網戸掃除専用の道具はなく、網戸の埃や汚れを掃除機で吸い込めるように網戸の裏側に新聞紙などを当て苦労と手間をかけて掃除が行われていた。
文献１では網戸の掃除を簡単に行うため、新聞紙の代わりに受け板と掃除機の吸気パイプに装着可能な中空軸が同時に考案された。
文献２では吸い込み具の中に回転ブラシが挿入され網戸の塵埃を擦り取れるように工夫されている。
【先行技術文献】
【特許文献】
【０００３】
【特許文献１】  特開２００８−４３７００号公報
【特許文献２】  特開２０１０−６３６２４号公報
【発明の概要】
【発明が解決しようとする課題】
【０００４】  網戸の塵埃を掃除機で吸い込むためには網戸を挟んで掃除機の吸気ヘッドとは反対側に受け板となるものを宛がう必要がある。文献１では一人で受け板を持ちながら吸気ヘッドを操作するのは非常に難しく、網戸を自在に隅々まで掃除するのは不可能であり、少なくとも二人以上の労力を必要とする。
文献２では受け板を使用していないので網戸の塵埃は十分に吸引されてこない。
本発明は以上の問題点を解決するためになされたものである。
【課題を解決するための手段】
【０００５】  掃除機の吸気ヘッドに、図４のように吸気口を囲むように上下３カ所に直径１〜２ｃｍの鉄のボールを埋め込み、受け板になる補助具には、図２のように吸気ヘッドの鉄のボールの位置に合わせ６個の磁石のボールを埋め込んだ。また、網戸の塵埃を擦りながら吸引させるため、図２のように補助具にブラシを植え込んだ。
網戸の掃除のときは、図５及び図６のように突出したボールどうしを付着させ、片手で吸気ヘッドを動かすだけで補助具も一緒に動くようにした。
以上の構成よりなる網戸掃除用補助具と掃除機の専用吸気ヘッド
【発明の効果】
【０００６】  本発明により一人でも網戸を自由自在に隅々まで掃除できるようになった。また、補助具にブラシを植え込むことで網戸の表面を擦りながら吸引することが可能となり、掃除の作業効率を一段と上げることができた。
【図面の簡単な説明】
【０００７】
【図１】本発明による網戸掃除の実施
【図２】補助具（受け板）の斜視図
【図３】吸気ヘッドのおもて側（甲面）からの斜視図
【図４】吸気ヘッドの裏側（底面）からの斜視図
【図５】吸気ヘッドと補助具の間に網戸を挟んで付着させたときに横から見た断面図
【図６】吸気ヘッドと補助具の間に網戸を挟んで付着させたときに上から見た図
【発明を実施するための形態】
【０００８】  （イ）掃除機の吸気ヘッド（１）に６個の鉄のボール（５）を埋め込む。
（ロ）網戸掃除用補助具（２）に６個の磁石のボール（３）を埋め込み、中心部にブラシ（４）を設ける。
本発明は以上のような構造である。
本発明を使用して、掃除を実施する場合は右手に補助具を持ち、左手で掃除機の吸気ヘッドのパイプ部分を持ちながら網戸の脇に立ち、補助具と吸気ヘッドの間に網戸を挟み、補助具の６個の磁石ボールと吸気ヘッドの６個の鉄のボールを合わせながら吸着させる（図５、図６参照）。吸着後は、吸着ヘッドのパイプ部分を持って移動させると補助具も同時に移動するので、自由自在に網戸の表面を移動させながら掃除が出来るようになった。
【符号の説明】
【０００９】  １網戸掃除用吸気ヘッド、２網戸掃除用補助具、３磁石のボール、４ブラシ、５鉄のボール
【図１】
2016022357.tif 000003
【図２】
2016022357.tif 000004
【図３】
2016022357.tif 000005
【図４】
2016022357.tif 000006
【図５】
2016022357.tif 000007
【図６】
2016022357.tif 000008
(57)【要約】【課題】平面上に置いたときに先端部が平面に触れない、スタンド付きトングを提供する。【解決手段】スライド式のストッパーに脚をつけた、スタンド付きトング。【選択図】図１
2016022024.tif 000002
【特許請求の範囲】
【請求項１】
スライド式のストッパーに脚をつけた、スタンド付きトング。
【発明の詳細な説明】
【技術分野】
【０００１】
本発明は、平面上に置いたときに先端部が平面に触れない、スタンド付きトングに関するものである。
【背景技術】
【０００２】
従来、スライド式のストッパーのついたトングがあったが、ストッパーに脚は付いていなかった。また、トング本体に脚が付いているトングがあった。
【発明の概要】
【発明が解決しようとする課題】
【０００３】
次のような問題点があった。
（イ）スライド式のストッパーに脚がない場合、平面上に置くと物を挟む部分が下につくので汚れてしまい、衛生的でないという問題があった。
（ロ）トング本体に脚が付いているトングは、使用時に先端部とトングの距離が近いので衛生的でないという問題があった。
本発明は、以上の問題点を解決するためになされたものである。
【課題を解決するための手段】
【０００４】
スライド式のストッパーに脚をつけた。  
【発明の効果】
【０００５】
平面上に置いたときに先端部が浮くようになる。また、使用時には先端部と脚の距離が離れるので衛生的である。
【図面の簡単な説明】
【０００６】
【図１】本発明の、スライド式のストッパー（２）を先端部（１ａ）に異動した状態の側面図である。
【図２】本発明の、スライド式のストッパー（２）を先端部（１ａ）に異動した状態の正面図である。
【図３】本発明の、スライド式のストッパー（２）を先端部（１ａ）に異動した状態の平面図である。
【図４】本発明の、スライド式のストッパー（２）を根元（１ｂ）に異動した状態の平面図である。
【図５】本発明の、ストッパー（２）の正面図である。
【発明を実施するための形態】
【０００７】
以下、本発明の実施の形態について説明する。
（イ）スライド式のストッパー（２）に脚（２ａ）を設ける。
本発明を使用するときは、トング（１）を閉じてスライド式のストッパー（２）を先端部（１ａ）に異動し、（ロ）平面上に置いたときに、先端部（１ａ）が浮く。スライド式のストッパー（２）を根元（１ｂ）に移動し、トング（１）を使用する際は、先端部（１ａ）と脚（２ａ）の距離が離れる。
【符号の説明】
【０００８】
１    トング
１ａ  先端部
１ｂ  根元
２    スライド式のストッパー
２ａ  脚
【図１】
2016022024.tif 000003
【図２】
2016022024.tif 000004
【図３】
2016022024.tif 000005
【図４】
2016022024.tif 000006
【図５】
2016022024.tif 000007
(57)【要約】【課題】  魚肉ねり製品を使用した製品は多数あり、本発明のＳＵＲＩＭＩＸを使用し現在の既存製品より安価に提供する。【解決手段】  従来から鱈（タラ）を中心とした魚肉製品（ＳＵＲＩＭＩ）が使用されているが本発明の鯔（ボラ）と豆腐の単独調合での魚肉製品ＳＵＲＩＭＩＸが商品化に成功した事により、原材料価格の低下の実現、及び魚肉ねり製品使用商品の安価販売が可能になった。【特許請求の範囲】
【請求項１】
鯔（ボラ）と豆腐を調合、混合し魚肉ねり製品としたもの。
【発明の詳細な説明】
【技術分野】
【０００１】本発明は、魚肉ねり製品に関するものであり、鯔（ボラ）と豆腐を調合、混合し魚肉ねり製品にしたものである。
【背景技術】
【０００２】従来から、鱈（タラ）を中心とした魚肉ねり製品（ＳＵＲＩＭＩ）が利用されている。この例として冷凍魚肉すり身がある。
【発明が解決しようとする課題】
【０００３】近年、食品原材料の高騰が問題になっている。冷凍魚肉ねり製品を使った製品は多数あり、原材料価格の高騰、変動など不都合を解決することを課題とする。
【課題を解決するための手段】
【０００４】本発明の鯔（ボラ）と豆腐の調合による単独での魚肉ねり製品商品化に成功した。現在利用価値の低い鯔（ボラ）を使用する事により、原材料価格の低下の実現、及び安価販売が可能になった。
【発明の効果】
【０００５】本発明のＳＵＲＩＭＩＸと肉類などとの混合ブレンドすることにより肥満、成人病、健康問題に対応できる商品製造が可能である。また外来魚を使用した魚肉を使用し商品開発にも対応できる。
【発明を実施するための最良の形態】
【０００６】以下、本発明を実施するための最良の形態について説明する。鯔（ボラ）を３枚におろし、骨と皮を取り除く。その後フードプロセッサーなどで塩、砂糖、小麦粉などを加え通常と同じ方法で魚肉ねり製品とする。その後、豆腐を混合ブレンドしＳＵＲＩＭＩＸとなる。よく撹拌するのがポイントとなる。
【産業上の利用の可能性】
【０００７】本発明によるＳＵＲＩＭＩＸは大量生産する事が可能であり魚肉練り製品多分野にわたり利用、製品化する事が可能である。また鯔（ボラ）の大量採取可能な地域での活性化が期待できる。
(57)【要約】      （修正有）【課題】蓬の健康成分、特にミネラル分を大きく損なうことなく苦味を減じあるいは消して、飲みやすいおいしい蓬茶の提供。【解決手段】８０近辺〜２３５℃の温度で気中で蓬を熱処理することで蓬の苦味を減じ或いは消す方法。好ましくは、温度処理範囲を約１００〜約１３０℃として蓬の香りを残して処理する方法。及び、該方法により得られた蓬を用いた、蓬の健康成分、特にミネラル分を大きく損なうことなく苦味を減じ或いは消した、飲みやすいおいしい蓬茶の製造。【選択図】なし【特許請求の範囲】
【請求項１】
８０℃近辺以上２３５℃以下の温度で気中蓬を熱処理することで蓬の苦味を減じあるいは消す方法。
【請求項２】
請求項１の温度処理範囲を約１００℃から約１３０℃として蓬の香りを残して処理する方法。
【発明の詳細な説明】
【技術分野】
【０００１】本発明は蓬の苦味を消しおいしく飲める蓬茶を製造する方法に関する【０００２】一般に蓬の苦味を消すには熱湯で茹でて苦味成分を溶かしだしてする法が用いられるが、これでは苦味成分だけでなく、可溶性栄養成分や薬効成分まで溶出してしまい、蓬の健康効果が損なわれる結果となっていた。
【発明の概要】
【発明が解決しようとする課題】
【０００３】蓬の健康成分、特にミネラル分を大きく損なうことなく苦味を減じあるいは消して、飲みやすいおいしい蓬茶を提供する。
【課題を解決するための手段】
【０００４】１００℃近辺の温度で気中長時間蓬を熱処理することで蓬の苦味成分を分解する。
【発明の効果】
【０００５】本発明により蓬の苦味は消え、または適度のさわやかさを示す程度の苦味が残り、旨味成分や香りがほのかに残ったおいしい蓬茶を製造することができる。
【実施例１】
【０００６】夏から秋にかけて根本から刈り取った蓬を屋内で陰干しし乾燥したものを恒温乾燥機のなかで１００℃の場合は６時間、１２０℃での場合は３時間、１３０℃の場合では２時間、１５０℃の場合は１時間１７０℃では３０分、１８５℃では２５分、２００℃では１５分各々加熱してやることで苦味は消えて、おいしい蓬茶の元となる。これを熱湯で１〜２分煮出すことで、苦味の無い旨味を持ち蓬の香り（１５０℃以上では香りは消える、また１０時間以上加熱しても香りは消える）もほのかに感じられるおいしい蓬茶を飲用できる。なお２３５℃以上では燃焼してしまう可能性が高くなる。
【実施例２】
【０００７】上記同様８０℃では１２時間の加熱時間、また１００℃では３時間、１２０℃の場合は２時間、１５０℃の場合は３０分と加熱時間を減じるとすこし苦味の残ったさわやかな味の蓬茶が得られる。
(57)【要約】      （修正有）【課題】焙煎した珈琲豆にこのチャフが付着したまま珈琲を抽出すると、雑味として現れ味が損なわれるため豆からチャフを取り除く必要がある。そのため、一般家庭でも容易に入手でき、なおかつ簡単に操作できる道具を提供する。【解決手段】容器１内の網３に焙煎の終わった珈琲豆を入れて、木ベラなどで珈琲豆を攪拌して、起動させた掃除機につないだパイプ２からチャフだけを吸い出すことが出来る。同時に攪拌することにより全ての豆をムラなく冷却することが出来る。小さい穴があいたフタ４をすると掃除機が吸い込む空気量よりフタの穴から入る空気流入量が少ないので容器内が負圧になりフタと容器が密着する。この状態で容器を両手で持ち上げ上下に振ると、豆が一時的に空中にある状態になり、豆同士の密着度が減るのでチャフの吸引と冷却が同時に行うことが出来る。【選択図】図１
2016214228.tif 000002
【特許請求の範囲】
【請求項１】
空気の吸出し口（２）のある容器（１）内に網（３）を入れて、上部にフタ（４）を設けた、珈琲豆からチャフを分離してなおかつ冷却する道具。
【発明の詳細な説明】
【技術分野】
【０００１】  この発明は、焙煎した珈琲豆の冷却とチャフの分離を短時間で行う方法に関するものである。
【背景技術】
【０００２】  従来、個人で珈琲豆を焙煎したとき、豆を冷却する方法としてうちわや扇風機等を用いています。又、同時にうちわや扇風機の風でチャフを吹き飛ばし豆と分離しています。
【先行技術文献】
【特許文献】
【０００３】
【特許文献１】  不明
【発明の概要】
【発明が解決しようとする課題】
【０００４】  これは、次のような欠点があった。
（イ）個人で珈琲豆を焙煎した場合、豆を冷却する方法としてうちわや扇風機を用いて行うが、豆内部まで冷却するのに時間がかかります。これにより、豆内部ではさらに焙煎が進み、狙った焼き加減で止めることがむずかしい。
（ロ）珈琲豆を焙煎すると、豆表面の薄皮が剥離して「チャフ」というカスが発生します。これが豆に付着したまま珈琲を抽出すると雑味となり、珈琲本来の味が損なわれます。さらに、うちわや扇風機等で豆を冷却するとチャフが周囲に飛び散り回収が困難になります。
（ハ）業務用の焙煎機は、大きな機械となり高額であるため個人向きではありません。
本発明は、以上のような欠点をなくすためになされたものであります。
【課題を解決するための手段】
【０００５】  容器（１）の中にある網（３）に焙煎の終わった豆を入れて、パイプ（２）につないだ掃除機を起動させ、容器の上にフタ（４）をする。
本発明は、以上の構成よりなる焙煎した豆の冷却とチャフを分離する道具であります。
【発明の効果】
【０００６】  掃除機を用いて空気を吸い込むことにより、容易に迅速に豆から熱を奪うことが出来ます。尚且つ、網の網目からチャフが掃除機側に吸い出されて、豆から容易に分離することができます。掃除機に直に吸引するため、周辺が汚れることはありません。
フタには小さな穴がいくつかあいています。掃除機が吸い込む空気量よりフタの穴から入り込む空気の流入量は少ないため容器内部は負圧になり、フタは容器に密着して簡単に外れることはありません。この状態で容器を上下に振るとチャフを吸引しながら冷却が同時に行われます。
低価格で入手できる製品を組み合わせることにより、安価で操作の簡単な道具を提供できます。
【図面の簡単な説明】
【０００７】
【図１】  本発明の斜視図である。
【図２】  本発明の断面図である。
【発明を実施するための形態】
【０００８】以下、本発明を実施するための形態について説明します。
容器（１）に穴をあけパイプ（２）をはめこむ、容器内に網（３）を入れて、その上にフタ（４）をのせる。
本発明は、以上のような構造である。
これを使用するときは、パイプの先端に掃除機のノズルをはめこむ、焙煎後の豆を網に入れて掃除機を起動する。木ベラなどで豆をかきまぜてチャフを吸い出して豆と分離する。同時に冷却する。ある程度大きなチャフを吸い出したら、網の上にフタをのせて容器を上下に振ることによりチャフの分離と豆を冷却することができる。
【符号の説明】
【０００９】１  容器
２  パイプ
３  網
４  フタ
【図１】
2016214228.tif 000003
【図２】
2016214228.tif 000004
(57)【要約】【課題】本発明は、Ｕ字マグネットを用いた電池方法を提供する。【解決手段】Ｕ字マグネットの磁力を利用し、発電用コイルを巻き付けた閉磁路鉄心を接着し、誘導磁気で発電した出力に定電圧ダイオードを接続した電池であり、補充電することなく使用できるＵ字マグネットを用いた電池方法である。【選択図】図１
2016214051.tif 000002
【特許請求の範囲】
【請求項１】
Ｕ字マグネットの磁力で発電するためにコイルを巻き付ける鉄心を２箇所設けた閉磁路鉄心を接着し、誘導磁気で発電した出力に定電圧ダイオードを接続して一定の出力電圧にした電池であることを特徴とするＵ字マグネットを用いた電池方法。
【請求項２】
Ｕ字マグネットの磁力で発電するためにコイルを巻き付ける鉄心を２箇所設けた閉磁路鉄心を接着し、誘導磁気で発電した出力の請求項のＵ字マグネットを用いた電池方法。
【発明の詳細な説明】
【技術分野】
【０００１】本発明は、Ｕ字マグネットを用いた電池方法に関し、詳しくはＵ字マグネットの磁力を使用し、そこに発電用のコイルを巻き付けた鉄心を２箇所設けた閉磁路鉄心を接着し、誘導磁気で発電した出力に定電圧ダイオードを接続して一定の電圧出力した電池のＵ字マグネットを用いた電池方法に関するものである。
【背景技術】
【０００２】従来、化学反応を利用した蓄電池、リチウムイオン電池が知られている。
【発明の概要】
【発明が解決しようとする課題】
【０００３】そのために次のような問題があった。
従来の蓄電池は、化学反応を利用した蓄電池で、補充電機ができるリチウムイオン電池と補充電機できない水銀電池などがあった。
本発明は、このような課題に鑑みてなされたものであって、化学反応を利用した電池、蓄電池を利用することなく、半永久的に発電、蓄電できる電池方法を提供することを目的としている。
本発明は、以上の問題点を解決しようとするものである。
【課題を解決するための手段】
【０００４】前記した課題を解決するために本発明は、Ｕ字マグネットの磁力を利用し、発電用コイルを巻き付ける鉄心を２箇所設けた閉磁路鉄心を接着し、誘導磁気で発電した出力に定電圧ダイオードを接続し、一定の出力電圧にした電池方法を特徴とする。
【発明の効果】
【０００５】本発明によれば、Ｕ字マグネットの磁力を鉄心にコイルで磁気の移動を電気信号に変換したことで発電と蓄電を同じにできる電池方法です。
【図面の簡単な説明】
【０００６】
【図１】本発明の一実施例を示す構成図である。
【発明を実施するための形態】
【０００７】以下、本発明の実施の形態につい説明する。
図１において、１はＵ字マグネットである。２は磁力である。３は磁力である。４は閉磁路鉄心である。該閉磁路鉄心としては、Ｕ字マグネット（１）の磁力（２）で誘導磁気（５）、（７）を発生する。５は誘導磁気である。６はコイルである。該コイルとしては、誘導磁気で発電する。７は誘導磁気である。８はコイルである。該コイルとしては、誘導磁気で発電する。９は、定電圧ダイオードである。該定電圧ダイオードとしては、コイル（６）、（８）の巻き数比の出力を一定の出力電圧にする。１０は電池である。１１はプラス極である。１２はマイナス極である。
以上説明したように、本発明によれば発電機と蓄電池を兼備した電池です。
【符号の説明】
【０００８】１    Ｕ字マグネット
２    磁力
３    磁力
４    閉磁路鉄心
５    誘導磁気
６    コイル
７    誘導磁気
８    コイル
９    定電圧ダイオード
１０  電池
１１  プラス極
１２  マイナス極
【図１】
2016214051.tif 000003
(57)【要約】【課題】  本発明は、従来の洋式便器の構成が有していた問題を解決しようとするものであり、洋式便器からの小便を漏れを防止する。【解決手段】本発明品は図１および２に示すように、１洋式便器本体、２ロータンク本体、３水洗用蛇口、４水洗用止水洗、５排水パイプおよび６ペイパーホルダーからなる通常の洋式便器の便座に、７発明品ゴムパッキンを取りつけた物である。これにより、従来の洋式便器の構成が有していた問題である小便の漏れを防止する。【選択図】図２
2016214806.tif 000002
【特許請求の範囲】
【請求項１】
１洋式便器本体、２ロータンク本体、３水洗用蛇口、４水洗用止水洗、５排水パイプおよび６ペイパーホルダーからなる通常の洋式便器の便座に、７発明品ゴムパッキンを取りつけたことを特徴とする洋式便器。
【発明の詳細な説明】
【技術分野】
【０００１】本発明品は、洋式便器をより清潔に保つ為の技術に関する。
【背景技術】
【０００２】従来の洋式便器は、男性が座り小便をする時少し押さえながら小便しないと、便器から前方に漏れやすい、これを解消しようとするものである。【０００３】  従来の洋式便器の便座は図１および２において７本発明品ゴムパッキンがないものである。以下詳細について説明する。従来品は便器と便座の接触部分に、わずかの隙間があり小便をすると、その隙間から小便が漏れ床がぬれて困ります。
【発明の概要】
【発明が解決しようとする課題】
【０００４】以上に述べた従来の洋式便器では小便が漏れやすい。
【課題を解決するための手段】
【０００５】図１および２における７本発明品ゴムパッキンを便座と便器の隙間に設置し、漏れを防ごうとするものである。
【発明の効果】
【０００６】本発明は、このような従来の構成が有していた問題を解決しようとするものであり、洋式便器からの小便の漏れを防止する。
【図面の簡単な説明】
【０００７】
【図１】本発明品の全体図である。
【図２】本発明品の左側面図である。
【発明を実施するための形態】
【０００８】本発明品は図１および２に示すように、１洋式便器本体、２ロータンク本体、３水洗用蛇口、４水洗用止水洗、５排水パイプおよび６ペイパーホルダーからなる通常の洋式便器の便座に、７発明品ゴムパッキンを取りつけた物である。
１洋式便器本体は、大便小便をためて置く。
２ロータンク本体は、水で大便小便を洗い流す為の水をためて置く。
３水洗用蛇口は、ロータンク本体への給水用。
４水洗用止水洗は、本体ロータンクへの給水を止める。
５排水パイプは、水と一緒に大便小便を流す水路。
６ペイパーホルダーは、トイレットペーパーを保持する。
７発明品ゴムパッキンは、洋式便器からの小便を漏れを防止する。
【符号の説明】
【０００９】１洋式便器本体
２ロータンク本体
３水洗用蛇口
４水洗用止水洗
５排水パイプ
６ペイパーホルダー
７発明品ゴムパッキン
【図１】
2016214806.tif 000003
【図２】
2016214806.tif 000004
(57)【要約】      （修正有）【課題】人体の組織に存在する結晶した尿酸を含む老廃物を排泄するため、手と足を温水の流水によりクリーニングするシステムを提供する。【解決手段】ビニールなどで作られた袋３を手または足に装着し、温水を注水する。温水が手または足の皮膚の表面を高速で流れると、この部分に負圧が生じる。このため、手の毛穴や、爪の先などから結晶した尿酸が効率よく排泄される。結晶した尿酸を含んだ温水は２より排水される。【選択図】図３
2016214805.tif 000002
【特許請求の範囲】
【請求項１】
人体の組織に存在する結晶した尿酸を含む老廃物を手より排泄するため、手を温水（洗剤、及び中和剤を含む）の流水によりクリーニングするシステム。
【請求項２】
人体の組織に存在する結晶した尿酸を含む老廃物を足より排泄するため、足を温水（洗剤、及び中和剤を含む）の流水によりクリーニングするシステム。
【発明の詳細な説明】
【技術分野】
【０００１】  本発明は、老廃物である結晶した尿酸の排泄方法、及びそのシステムに関する。
【背景技術】
【０００２】  危険因子として老廃物である結晶した尿酸の排泄は、健康を管理する上で重要である。結晶した尿酸の排泄方法として技術文献１の遠赤外線療法が行われている。【０００３】  技術文献１の遠赤外線療法では、遠赤外線により結晶した尿酸を溶解し、これを腎臓から排泄するものである。
【先行技術文献】
【０００４】
【非特許文献１】ｈｔｔｐ：／／ｗｗｗ．ｅ‐ｒｙｏｈｏ．ｃｏ．ｊｐ／ｓａｍｐｌｅ／ｓｍｐ／ｔｕｆｕ．ｈｔｍ
【０００５】  技術文献１は、遠赤外線により結晶した尿酸を溶解し、これを腎臓から排泄するもので、人体の皮膚から排泄するものではない。そこで、結晶した尿酸を人体の手、及び足の皮膚の表面（毛穴、及び爪先など）から排泄させることが提案されている。
【発明の概要】
【発明が解決しようとする課題】
【０００６】  しかしながら、遠赤外線により結晶した尿酸を溶解する方法は、腎臓の機能が低下していると十分に排泄することができない。
本発明は、上記問題点に鑑み、老廃物である結晶した尿酸を人体の手や足の皮膚の表面（毛穴、及び爪先など）から排泄させる方法を提供することを目的とする。
【課題を解決するための手段】
【０００７】  上記目的を達成するために本発明は、人体の手や足の皮膚の表面に沿って温水（例えば３６度―４２度）を高速で流し、老廃物である結晶した尿酸を排泄する。
発明の基本となる重要事項：
（１）人の血管―リンパ系は、動脈、毛細血管、リンパ管、静脈より構成されている（家接しており、血液と人体組織の間では、酸素、炭酸ガス、ホルモン、栄養物、老廃物などの「物質の交換」が行なわれている（家庭医学大百科、主婦の友社、ｐ．３０３の２段目）。
（３）リンパ系は、組織液を集めて流れる系である。組織の間を滲み出た組織液はリンパ毛細管に入って集まり、これらは網の目状のリンパ管網からだんだん太くなり、リンパ本幹となって静脈に注いでいる（家庭医学大百科、主婦の友社、ｐ．３０４の１段目）。
（４）以上のことから、人の血管―リンパ循環系に存在する老廃物は、重力の影響（直立の場合）により、人体の末端である手と足に蓄積する。この老廃物の排泄は、人体機能の維持の上で最も重要である。
【発明の効果】
【０００８】人体組織に存在する結晶した尿酸を含む老廃物を手から排泄することにより、血液を浄化する効果がる。【０００９】人体組織に存在する結晶した尿酸を含む老廃物を手から排泄することにより、これが頭に昇り、脳の血管を閉塞させるのを防ぐ効果がある。【００１０】人体組織に存在する結晶した尿酸を含む老廃物を足から排泄することにより、血液を浄化する効果がる。【００１１】人体組識に存在する結晶した尿酸を含む老廃物を足から排泄することにより、これが頭に昇り、脳の血管を閉塞させるのを防ぐ効果がある。【００１２】結晶した尿酸を含む老廃物が人体の手に蓄積すると、血液の循環が悪くなるが、これを防ぐ効果がある。【００１３】結晶した尿酸を含む老廃物が人体の足に蓄積すると、血液の循環が悪くなるが、これを防ぐ効果がある。【００１４】結晶した尿酸を含む老廃物が人体の臓器に蓄積すると、臓器の機能が低下するが、これを防ぐ効果がある。
【図面の簡単な説明】
【００１５】
【図１】手より老廃物である結晶した尿酸を排泄するための袋の概観図である。
【図２】足より老廃物である結晶した尿酸を排泄するための袋の概観図である。
【図３】［図１］、及び［図２］に温水を送るポンプシステムの構成図である。
【発明を実施するための最良の形態】
【００１６】図１はビニールなどで作られた袋３を手に装着した状態を示したもので、注水口１、排水口２、水漏れ防止用のシール４から構成される。【００１７】図１で温水は１より注水される。注水された温水が手の皮膚の表面を高速で流れると、この部分に負圧が生じる。このため、手の毛穴や、爪の先などから結晶した尿酸が効率よく排泄される。結晶した尿酸を含んだ温水は２より排水する。【００１８】図２はビニールなどで作られた袋３ａを足に装着した状態を示したものである。
図で温水は１ａより注水される。注水された温水が足の皮膚の表面を高速で流れると、この部分に負圧が生じる。このため、足の毛穴や、爪の先などから結晶した尿酸が効率よく排泄される。結晶した尿酸を含んだ温水は２ａより排水する。４ａは水漏れ防止用のシールである。【００１９】次に、上記発明を実施する最良の形態の構成に基づく尿酸を排泄するための袋の使用方法について以下に説明する。
図３は図１と図２の袋に温水を供給するためのポンプシステムの構成図である。
【実施例１】図３で、弁８、弁１２、を閉じ、弁１１を開き、温水を７より弁８を経て循環路［６→３（３ａ）→９」に注水する。注水後、弁８を開く。
温水をポンプ６により袋３と３ａの入力１と１ａにそれぞれ供給する。袋３と３ａの排水口２と２ａを合成した出力は、汚水処理・加熱部９の入力３となる。９の出力は６の入力１３となり、循環路の温水で手（腕）と脚（足）をクリーニングする。
【実施例２】図３で、弁１２を開き、弁８と弁１１を閉じる。
温水７を弁８より６を経て袋３と３ａの入力１と１ａに供給する。袋３と３ａの温水は、２と２ａから９、及び１１をへて１０より排水し、手と脚（足）をクリーニングする。
【符号の説明】
【００２０】１、注水口
２、排水口
３、袋
１ａ、注水口
２ａ、排水口
３ａ、袋
４、水漏れ防止用のシール
４ａ、水漏れ防止用のシール
５、ポンプの出力
６、ポンプ
７、注水
８、弁
９、汚水処理・加熱部
１０、排水
１１、弁
１２、弁
１３、ポンプの入力
【図１】
2016214805.tif 000003
【図２】
2016214805.tif 000004
【図３】
2016214805.tif 000005
(57)【要約】      （修正有）【課題】荷物の出し入れと椅子に座るとき、または混雑しているところでも、リュックサック部分を腹部へ移動することにより、後ろの人に不快な思いを与えないウエストリュックを提供する。【解決手段】ウエストポーチ部分に、リュックサック部分の底部をウエストベルトより約１５ｃｍ下げるように取り付け、肩にかけるショルダーベルトを１本、ショルダーベルト取り付け用の接続フック、発泡ウレタンで形成した背あて、リュックサック部分両サイドには、回転させるときに使う握りベルトを設けた構成とした。【選択図】図２
2016214801.tif 000002
【特許請求の範囲】
【請求項１】
ウエスト部で回転（移動）させることが出来るリュックなどである。
【発明の詳細な説明】
【技術の分野】
【０００１】  この発明は、ウエストポーチとリュックサックを組み合わせ、ウエスト部分でリュック部分が腹部へ回転できる、ウエストリュックに関するものである。
【背景技術】
【０００２】  今までのリュックサックは、リュックサックから物を出すとき、背もたれがある椅子に座るときには、背中から降ろさなければならなかった。
【先行技術文献】
【特許文献】
【０００３】
【特許文献１】  特開００００−００００００号公報
【発明の概要】
【発明が解決しようとする課題】
【０００４】  リュックサックには、次のような欠点があった。
荷物の出し入れと椅子に座るときはリュックサックを降ろさなければならなかった。混雑しているところでリュックサックを背負っていると、後ろが見えないことから後ろの人に不快な思いを与える場合がある。
【課題を解決するための手段】
【０００５】  ウエストポーチ部分にリュックサックを取り付け（図面１、２参照  リュックサック部分の底部は、ウエストベルトより約１５ｃｍ下げる）肩にかけるショルダーベルトは１本（図面３、４参照）のみである。
ウエストベルトにショルダーベルト取り付け用の接続フック（図面４参照）がある。
リュックサック部分は、型が崩れないように発泡ウレタン（図面２参照）で形成した背あてを取り付ける。
リュックサック部分両サイドには、回転させるときに使う握りベルト（図面１〜４参照）を設ける。
ウエストベルトの幅は広め、ショルダーベルトの幅は狭めにすることができる。
【発明の効果】
【０００６】  ショルダーベルトを緩めるか、外すことによりウエストリュックが回転（移動）できるようになり、リュックサック部分が腹部へ移動（図面５参照）できることから、ウエストリュックを着けたまま、荷物の出し入れと椅子に座れることができる。
ウエストリュックは、ライフジャケットの能力ももたせるため、浮力がある発泡ウレタンで形成した背あてを取り付け、ショルダーベルトが１本であることからリュックサック部分の開口部が最上部からずらした位置に設けられるデザインができやすいことから、水中では、リュックサック部分内でエアーポケット（空気だまり）が形成されやすい。
【図面の簡単な説明】
【０００７】
2016214801.tif 000003
【発明を実施するための形態】
【０００８】  以下、本発明を実施するための形態について説明する。
ウエストポーチとリュックサックを組み合わせ、リュックサック部分のショルダーベルトを１本にすることにより、ショルダーベルトを緩めるか外すことによりリュックサック部分が背部から腹部側へ回転（移動）ができる。
リュックサック部分が腹部へ移動したとき、リュックサック部分の底部は、ウエストベルトより約１５ｃｍ下にあることと、型が崩れないように発泡ウレタンで形成した背あてを取り付けてあるため前へ倒れることはなく、中に入っている物の出し入れが出きる。
ウエストリュックは、リュックサックと違い身体から取り外す機会（物の出し入れと座るときでも身に着けている）が少なくなることから、着衣泳法の補助具（ライフジャケットの能力がある）として使用できる。
【符号の説明】
【０００９】  なし
【図１】
2016214801.tif 000004
【図２】
2016214801.tif 000005
【図３】
2016214801.tif 000006
【図４】
2016214801.tif 000007
【図５】
2016214801.tif 000008
【手続補正書】
【提出日】平成27年7月19日(2015.7.19)
【手続補正１】
【補正対象書類名】明細書
【補正対象項目名】０００７
【補正方法】変更
【補正の内容】
【０００７】
【図１】正面図
【図２】側面図
【図３】上面図
【図４】背面図
【図５】回転させた側面図
(57)【要約】      （修正有）【課題】正方形の連鎖上の集合体を回転と移動を操作するパズルゲームで、スピードのみを競うものではなく、テクニック重視型とするゲームを提供する。【解決手段】テトリスゲームでは、下面部に蓄積された数字の駒に、上部から次々と発生してくる数字の駒を、プレーヤーが、左右に操作することで、任意の駒の上に積み重ねて行く。その際に、プレーヤーは落下する駒と蓄積している駒に表示された数字の足し算の値が消える条件値の２０になるような位置に操作をする。上下左右に積み重なり接触した駒の数字を足し算した和の値が２０になった瞬間にその構成する駒群のみが画面から消えるルールとする。駒群が消える条件を２０ではなく、プレイヤーが値を任意に設定できるようにゲームの機能を追加すれば遊び方の難易度を変えることが可能になる。【選択図】図１
2016214807.tif 000002
【特許請求の範囲】
【請求項１】
携帯電話を含む携帯型の、いわゆる落ち物パズルゲーム機において、画面の下方に並んで置かれた１〜９の数字が表示された駒に向かって、上方から次々に１個づつ落下してくる同じく１〜９の数字が表示された駒をプレイヤーが左右に操作して移動させながら落下させ、任意の駒に当てた時に、縦横に接触し合った複数の駒の数字の和が２０になった場合に、これを構成する駒群が画面上から消えることを特徴としたパズルゲーム機のゲームソフト。
【請求項２】
請求項１の本発明のゲームソフトにおいて、接触した駒群が消える条件として、駒の数字の和を２０に限定せず、和の値をプレイヤーが任意に設定出来ることを特徴とするゲームソフト。
【請求項３】
請求項１の本発明のゲームソフトにおいて、縦横に接触し合った駒群の構成が少なくとも３個以上の連結でないと消えない条件に設定することを可能としたゲームソフト。
【請求項４】
請求項１の本発明のゲームソフトにおいて、消えた駒群の空いたスペースには上方に存在する駒が順次、下方に落下して縦方向に整列することを特徴としたゲームソフト。
【請求項５】
請求項１の本発明のゲームソフトにおいて、上方から次々に１個づつ発生してくる１〜９の数字が表示された駒の落下する速度をプレイヤーが任意に設定出来ることを特徴とするゲームソフト。
【発明の詳細な説明】
【技術分野】
【０００１】  携帯電話を含む携帯型ゲーム機のソフトウエア。
【背景技術】
【０００２】  一端の面に並んだ正方形の連鎖の空白部に向かって対面から自動的に発生して移動する複数の正方形の連鎖をプレイヤーが回転させ空白部に挟まった時、この絵が並んだ場合に横一列の正方形全てが消滅する、テトリスなるゲームソフトが発売されている。
【発明の開示】
【発明が解決しようとする課題】
【０００３】  これはつぎのような欠点があった。
正方形の連鎖上の集合体を回転と移動を操作するゲームで、空間認識と形形状認識を瞬時に判断するテクニック重視型であり慣れるとスピードのみを競うものである。
【問題を解決すための手段】
【０００４】  本発明のゲームソフトは、簡単な足し算をすることに特化して従来の視覚型ゲームから学習型にプレイスタイルを変えるものである。
【発明の効果】
【０００５】  本発明のゲームソフトをプレイすることは、瞬時に複数の数字の組み合わせを暗算する能力が要求され、これにより脳が活性化する効果が期待出来る。
本発明のゲームソフトは、幼児の算数教材としても活用が期待出来る。
本発明のゲームソフトをプレイすることは、高齢者の認知症の予防と改善に効果が期待出来る。
【図面の簡単な説明】
【０００６】
【図１】  この発明の一実施形態を示す正面から見た平面図である。ｂの液晶画面の中の、ｃのプレイゾーンの上面に発生した、ｄの駒が、ｅ〜ｆ〜ｇの位置で条件を満たし画面上から消去される動作を示すものである。
【発明を実施するための最良の形態】
【０００７】  以下、本発明の実施例について図１より説明する。
これはスマートフォンで具現化されたことを想定した一例である。
本発明のゲーム機の向き、天地方向は図１の通りである。
上方から１〜９の数字を表示した駒が不規則に順次発生し、落下して下面に次々に蓄積されていく。
上方から新たに発生した数字の５を表示した駒ｄが落下ｈをする。
ｅの位置でプレイヤーが左方向に駒を操作するボタンｎを押して移動ｉでｆの位置で計算して止める。
そこから落下ｊしてｇの位置で蓄積された駒群の縦列ｋに接触して止まる。
その結果、駒群の縦列ｋと最下部の右の駒ｌの組合わせの足し算の和の値が２０となり５個の駒が瞬時に画面より消える。
その結果、駒群の縦列ｋと横のｌは消滅して空きスペースとなる。
さらに、消えた駒ｌの上にある駒群の縦列が下面に移動する。
【符号の説明】
【０００８】ａ：  ゲーム機の本体
ｂ：  液晶画面
ｃ：  プレイゾーン
ｄ：  発生した駒
ｅ：  ｄの移動軌跡１
ｆ：  ｄの移動軌跡２
ｇ：  ｄの移動軌跡３
ｈ：  ｄが落下
ｉ：  ｄを操作
ｊ：  ｄが落下
ｋ：  駒群の縦列
ｌ：  蓄積された駒
ｍ：  駒の右移動ボタン
ｎ：  駒の左移動ボタン
【図１】
2016214807.tif 000003
(57)【要約】【課題】  従来、予定等をカレンダーに書き込む時に余白が無いと困った。また、予定等を書いたメモを冷蔵庫等に沢山貼ると乱雑に見えた。【解決手段】  複数に分かれたポケット部にポケット部同士を着脱自在に接続する面ファスナーを設け、着脱自在にクリップを設けた。【選択図】図１
2016214802.tif 000002
【特許請求の範囲】
【請求項１】
複数に分かれた小物入れ部のうちの一部または全部に、前記小物入れ部同士を着脱自在に接続する接続手段を設け、前記小物入れ部に、前記小物入れ部と被取り付け体に対して着脱自在に取り付けられる取り付け手段を設けた取り付け手段付き小物入れ。
【請求項２】
前記小物入れ部が、前記小物入れ部に物を入れた時に中に入れた物が見える程度の透明性を有する請求項１記載の取り付け手段付き小物入れ。
【請求項３】
前記小物入れ部に弛み防止策を施した請求項１、２記載の取り付け手段付き小物入れ。
【発明の詳細な説明】
【技術分野】
【０００１】  本発明は、取り付け手段を備えた取り付け手段付き小物入れに関するものである。
【背景技術】
【０００２】  従来、予定等はカレンダーに書き込んだり、紙に書いたメモを冷蔵庫等に貼ったりしていた。
【発明の概要】
【発明が解決しようとする課題】
【０００３】  これには次のような欠点があった。
（イ）、書き込む余白が無いカレンダーの場合困った。
（ロ）、沢山のメモを貼る必要がある場合、冷蔵庫等の外面が乱雑に見えた。
本発明は、以上のような欠点をなくすために考えたものである。
【課題を解決するための手段】
【０００４】（イ）、複数に分かれた小物入れ部のうちの一部または全部に、前記小物入れ部同士を着脱自在に接続する接続手段を設け、前記小物入れ部に、前記小物入れ部と被取り付け体に対して着脱自在に取り付けられる取り付け手段を設けたものである。【０００５】（ロ）、または、（イ）に加えて、前記小物入れ部が、前記小物入れ部に物を入れた時に中に入れた物が見える程度の透明性を有するものである。【０００６】（ハ）、または、（イ）または（ロ）に加えて、前記小物入れ部に弛み防止策を施したものである。
本発明は、以上の構成よりなる取り付け手段付き小物入れである。
【発明の効果】
【０００７】（イ）、カレンダーに書き込む余白が無い場合でも本発明をカレンダーの下端辺りに取り付けて小物入れ部にメモ等を入れれば、一目瞭然で予定が分かり便利である。
（ロ）、本発明を冷蔵庫等に取り付けて小物入れ部にメモ等を入れれば、メモをあちこちに貼る必要がなく、冷蔵庫等の外面がきちんと整頓されてすっきりする。
【図面の簡単な説明】
【０００８】
【図１】  本発明の第一実施例の分解正面図
【図２】  同上の使用状態を示した正面図
【図３】  同上の他の使用状態を示した側面図
【図４】  本発明の第二実施例の分解正面図
【図５】  同上の使用状態を示した正面図
【図６】  本発明の第三実施例の分解正面図
【図７】  同上のクリップの拡大側面図
【図８】  同上の使用状態を示した正面図
【発明を実施するための形態】
【０００９】  以下、本発明の実施の形態を説明する。
【実施例１】
【００１０】  第一実施例を図１から図３に基づいて説明する。
本実施例では、小物入れ部として、透明ビニール製のポケット前面２とポケット後面３とからなる複数のポケットが設けられた２つのポケット部１が設けられている。【００１１】  ポケット後面３はポケット前面２より上方に長くなっている。【００１２】  ポケット部１の上部には２つのポケット部１同士を着脱自在に接続するための接続手段として面ファスナー５、６が設けられている。【００１３】  ポケット部１の側部には取り付け手段として２個のクリップ４、４が着脱自在に設けられている。【００１４】  尚、ポケット部１はビニール製に限らずどのような素材でもよい。
また、ポケット前面２のみを透明性のあるものにしてもよく、ポケット前面２とポケット後面３を違う素材にしてもよい。【００１５】  また、各々のポケット部１にポケットを何個設けてもよく、ポケットの大きさを大中小等にしてもよい。【００１６】  また、ポケット部１を複数何個設けてもよい。
また、面ファスナー５、６の代わりにスナップ等でもよく、クリップ４を何個設けてもよい。【００１７】  本実施例を使用する時は、２つのポケット部１を、被取り付け体としてのカレンダー１０等の幅に合わせ面ファスナー５、６を接続してクリップ４、４でポケット部１のポケット後面３の上部とカレンダー１０の前面下端辺りを一緒に挟んで止める。【００１８】  尚、カレンダー１０の前面に取り付けるとカレンダー１０の日にちの部分が隠れてしまうような場合には、図３に示したように、ポケット後面３の上部をカレンダー１０の後側に取り付ける。【００１９】  また、カレンダー１０の幅によっては、２つのポケット部１のうちの１つだけを使用することもできる。【００２０】  カレンダー１０に取り付けた後、ポケット部１に予定等を書いたメモ１３を入れる。
尚、ポケット部１にはメモ１３だけでなく写真１２等を入れてもよい。
【実施例２】
【００２１】  第二実施例を図４から図５に基づいて説明する。
本実施例では、第一実施例のものに、ポケット部１の上部が弛まないように前記ポケット部１の上部に弛み防止策としてプラスチックの薄いプレート７が設けられている。【００２２】  尚、プラスチックの薄いプレート７の代わりに針金や布芯等でもよく、ポケット部１自体を弛まない素材にしてもよい。【００２３】  本実施例を使用する時は、第一実施例と同様の手順で使用する。
【実施例３】
【００２４】  第三実施例を図６から図８に基づいて説明する。
本実施例では、第一実施例のものに、クリップ４が４個設けられておりクリップ４には磁石８が設けられている。
また、クリップ４には輪ゴム１４等が掛けられるようにフック９が設けられている。【００２５】  尚、磁石８の代わりに吸盤等でもよく、弛み防止手段を設けてもよい。【００２６】  本実施例を使用する時は、実施例１や２のようにカレンダー１０に取り付けられるのは勿論、磁石８の設けられたクリップ４で被取り付け体としての冷蔵庫１１等に取り付けることもできる。
尚、被取り付け体はカレンダー１０や冷蔵庫１１に限らない。
【符号の説明】
【００２７】  １    ポケット部
２    ポケット前面
３    ポケット後面
４    クリップ
５    面ファスナー
６    面ファスナー
７    プレート
８    磁石
９    フック
１０  カレンダー
１１  冷蔵庫
１２  写真
１３  メモ
１４  輪ゴム
【図１】
2016214802.tif 000003
【図２】
2016214802.tif 000004
【図３】
2016214802.tif 000005
【図４】
2016214802.tif 000006
【図５】
2016214802.tif 000007
【図６】
2016214802.tif 000008
【図７】
2016214802.tif 000009
【図８】
2016214802.tif 000010